(57)【要約】【課題】２個の吸引機能を備えた掃除機本体を有する電気掃除機において、使用性を向上することを目的とするものである。【解決手段】吸込部５と連通する吸引風を発する第１の電動送風機７と吸引した塵埃を集塵する第１の集塵室１０を有する第１の掃除機本体１と、操作用の握り部１５を有し第２の電動送風機１７と第２の集塵室１６からなる第２の掃除機本体１４と、前記第１の掃除機本体１と前記第２の掃除機本体１４を着脱自在に接続する中空管１３を備え、前記中空管１３は前記第１の集塵室１０と前記第２の集塵室１６を連通させる構成としたもので、許容量の少ない第２の集塵室１６での塵埃の蓄積と処理工程を廃止させることが達成でき、使用者への手間と負担を低減させるものとなる。【選択図】　図１
2004089241.tif 000002
【特許請求の範囲】
【請求項１】
吸込部と連通する吸引風を発する第１の電動送風機と吸引した塵埃を集塵する第１の集塵室を有する第１の掃除機本体と、操作用の握り部を有し第２の電動送風機と第２の集塵室からなる第２の掃除機本体と、前記第１の掃除機本体と前記第２の掃除機本体を着脱自在に接続する中空管を備え、前記中空管は前記第１の集塵室と前記第２の集塵室を連通させる構成とした電気掃除機。
【請求項２】
第１の掃除機本体内に第１の集塵室と中空管を連通する吸気通路を有し、前記吸気通路への中空管の取付けおよび取り外し動作により開閉動作する開閉弁を設けた請求項１記載の電気掃除機。
【請求項３】
第２の掃除機本体が中空管を介して第１の掃除機本体に接続されているとき、所定時間、第１の掃除機本体が有する第１の電動送風機が運転する請求項１または２記載の電気掃除機。
【請求項４】
第２の掃除機本体の反中空管接続側の端部に傾斜部を有する握り部を設けた請求項１〜３のいずれか１項に記載の電気掃除機。
【請求項５】
中空管は伸縮自在とした請求項１〜４のいずれか１項に記載の電気掃除機。
【請求項６】
中空管内に前記中空管の側壁に支持部を有する逆止弁を設けた請求項１〜５のいずれか１項に記載の電気掃除機。
【請求項７】
握り部の体積中心より半径１０ｃｍ範囲以内に、第２の電動送風機を駆動させる二次電池を搭載した請求項４記載の電気掃除機。
【請求項８】
吸込部と連通する吸引風を発する第１の電動送風機と吸引した塵埃を集塵する第１の集塵室を有する第１の掃除機本体と、操作用の握り部を有し第２の電動送風機と第２の集塵室からなる第２の掃除機本体と、第３の電動送風機と第３の集塵室からなり前記第１の掃除機本体を充電する充電器と、前記第２の掃除機本体と前記充電器を着脱自在に接続する中空管を備え、前記中空管は前記第２の集塵室と前記第３の集塵室を連通させる構成とした電気掃除機。
【請求項９】
充電器は電源トランスを有し、第３の電動送風機の排気を前記電源トランスにあてるようにした請求項８記載の電気掃除機。
【請求項１０】
充電器は電源トランスを有し、中空管内を通過する空気流を前記電源トランスにあてるようにした請求項８記載の電気掃除機。
【発明の詳細な説明】
【０００１】
【発明の属する技術分野】
本発明は、電気掃除機に関するものである。
【０００２】
【従来の技術】
従来、この種の電気掃除機は特開昭６２−１４２５３１号公報に示すような構成が一般的であった。以下、その構成について図面を参照して説明する。図１２において、１０１は掃除面の塵埃をかき上げる回転ブラシ１０７を内蔵した吸込部、１０２は内部に第１の電動送風機１０８を内蔵した第１の掃除機本体１０２で、前記吸込部１０１の後部に回動自在に軸支されている。１０３は前記第１の掃除機本体１０２の上部に着脱自在に取り付けられた第２の掃除機本体、１０４は第２の掃除機本体１０３上端部に操作用握り部１１２を形成した第２の掃除機本体１０４で、その内部に第２の吸気口１１０、フィルター１０９、第２の電動送風機１１１を内蔵している。使用する際には、第２の掃除機本体１０４を持ち第２の掃除機本体１０３を第１の掃除機本体１０２より取り外してセカンド掃除機として使用もでき、また、第１の掃除機本体１０２に取り付けたまま従来構成の掃除機として掃除することも可能としたものであった。
【０００３】
【発明が解決しようとする課題】
しかしながら上記従来の構成では、第２の掃除機本体１０３を第１の掃除機本体１０２より取り外してセカンド掃除機として使用した際、吸引した塵埃を第２の掃除機本体１０４内部の小スペースに蓄積収納することとなり、許容が少なく頻繁に塵埃処理をしなければならず、また第１の掃除機本体１０２の塵埃処理も加えることで、非常にその頻度が高くなり使用者の手間の増大となっていた。
【０００４】
本発明は上記課題を解決するもので、２個の吸引機能を備えた掃除機本体を有する電気掃除機において、使用性を向上することを目的とするものである。
【０００５】
【課題を解決するための手段】
上記課題を解決するために本発明では、吸込部と連通する吸引風を発する第１の電動送風機と吸引した塵埃を集塵する第１の集塵室を有する第１の掃除機本体と、操作用の握り部を有し第２の電動送風機と第２の集塵室からなる第２の掃除機本体と、前記第１の掃除機本体と前記第２の掃除機本体を着脱自在に接続する中空管を備え、前記中空管は前記第１の集塵室と前記第２の集塵室を連通させる構成としたものである。
【０００６】
これによって、第２の掃除機本体を第１の掃除機本体より取り外してセカンド掃除機として使用した際、塵埃を第２の掃除機本体内部に一時的に収納させても、掃除終了後に第２の掃除機本体を第１の本体に取りつけ戻すことにより、前記第１の掃除機本体の集塵室と連通させている結果、第１の掃除機本体の運転動作により第２の掃除機本体の集塵室より吸引され、前記塵埃が移送され集約されるものとなる。その結果、許容量の少ない第２の掃除機本体部での塵埃の蓄積と処理工程を廃止させることが達成でき、使用者への手間と負担を低減させるものとなる。
【０００７】
【発明の実施の形態】
本発明の請求項１記載の発明は、吸込部と連通する吸引風を発する第１の電動送風機と吸引した塵埃を集塵する第１の集塵室を有する第１の掃除機本体と、操作用の握り部を有し第２の電動送風機と第２の集塵室からなる第２の掃除機本体と、前記第１の掃除機本体と前記第２の掃除機本体を着脱自在に接続する中空管を備え、前記中空管は前記第１の集塵室と前記第２の集塵室を連通させる構成としたもので、第２の掃除機本体を第１の掃除機本体より取り外してセカンド掃除機として使用した際、塵埃を第２の集塵室に一時的に収納させても、掃除終了後に第２の掃除機本体を第１の掃除機本体に取りつけ戻すことにより、前記第１の集塵室と連通させている結果、第１の掃除機本体の運転動作により第２の集塵室より吸引され、前記塵埃が第１の集塵室へ移送され集約されるものとなる。その結果、許容量の少ない第２の集塵室での塵埃の蓄積と処理工程を廃止させることが達成でき、使用者への手間と負担を低減させるものとなる。
【０００８】
本発明の請求項２記載の発明は、第１の掃除機本体内に第１の集塵室と中空管を連通する吸気通路を有し、前記吸気通路への中空管の取付けおよび取り外し動作により開閉動作する開閉弁を設けたもので、着脱自在に具備した第２の掃除機本体を取り外した状態での第１の掃除機本体単独状態において、前記吸気通路の開口が開閉弁により閉鎖され、第１の掃除機本体の集塵室の真空度が保たれるものとなり、第２の掃除機本体を取り外した状態での第１の掃除機本体単独使用も可能となることから、使用条件の拡大より使用性を向上させることができる。
【０００９】
本発明の請求項３記載の発明は、第２の掃除機本体が中空管を介して第１の掃除機本体に接続されているとき、所定時間、第１の掃除機本体が有する第１の電動送風機が運転するもので、第２の集塵室から第１の集塵室への塵埃移送ができ、使用性を改善向上させることができる。
【００１０】
本発明の請求項４記載の発明は、第２の掃除機本体の反中空管接続側の端部に傾斜部を有する握り部を設けたもので、第１の掃除機本体より第２の掃除機本体を取り外しセカンド掃除機として使用する際、掃除面へ直立させた状態で吸気口を向けなくとも、第２の掃除機本体を持って操作を行なう際、自然に生ずる傾斜において吸気口を掃除面に対し平行に近い状態にすることが容易にでき、単一径における中空管で形成した吸気口においては、容易に開口面積の拡大がはかれるものとなり、使用者にとっては楽な姿勢での掃除が提供でき、操作性を改善し向上させることができる。
【００１１】
本発明の請求項５記載の発明は、中空管は伸縮自在としたもので、内外径の異なる中空パイプを重ねることにより、摺動動作が得られるものとなり、伸縮自在に構成させることができ、使用条件の拡大が図れ操作性を向上させることができる。
【００１２】
本発明の請求項６記載の発明は、中空管内に前記中空管の側壁に支持部を有する逆止弁を設けたもので、前記中空管内の通路にて変化する気流方向に追従して開閉動作し、気流の流れが逆転する吸気通路に構成可能となり、このような作用を有した吸気通路においてもゴミもれ対策が実現でき商品性を向上させることができる。
【００１３】
本発明の請求項７記載の発明は、握り部の体積中心より半径１０ｃｍ範囲以内に、第２の電動送風機を駆動させる二次電池を搭載したもので、その重量重心を前記第２の掃除機本体の握り部に近づくものとなり、使用者の握りに対し、握り位置と重量重心で生ずる曲げモーメントを低減することにより使用者の手首等にかかる負担を軽減することができる。
【００１４】
本発明の請求項８記載の発明は、吸込部と連通する吸引風を発する第１の電動送風機と吸引した塵埃を集塵する第１の集塵室を有する第１の掃除機本体と、操作用の握り部を有し第２の電動送風機と第２の集塵室からなる第２の掃除機本体と、第３の電動送風機と第３の集塵室からなり前記第１の掃除機本体を充電する充電器と、前記第２の掃除機本体と前記充電器を着脱自在に接続する中空管を備え、前記中空管は前記第２の集塵室と前記第３の集塵室を連通させる構成としたもので、第２の掃除機本体を第１の掃除機本体より取り外してセカンド掃除機として使用した際、塵埃を第２の集塵室内部に一時的に収納させても、掃除終了後、第２の掃除機本体を充電器に取りつけ戻すことにより、前記充電器に設けられた第３の集塵室と連通させている結果、前記第３の集塵室より吸引され、且つ前記塵埃が移送されて集約されるものとなり、その結果、許容量の少ない第２の集塵室での塵埃の蓄積と処理工程を廃止させることが達成でき、使用者への手間と負担を低減することができる。
【００１５】
本発明の請求項９記載の発明は、充電器は電源トランスを有し、第３の電動送風機の排気を前記電源トランスにあてるようにしたもので、発熱作用をもたらす電源トランスに排気風を吹き当てるものとなり、冷却作用を向上させ同時に製品性能の品質的向上を達成させることができる。
【００１６】
本発明の請求項１０記載の発明は、充電器に形成した第３の集塵室に設けた第３の電動送風機の吸気通路を、同じく充電器に具備した電源トランス収納部に連結する構成とすることにより、発熱作用をもたらす電源トランスに吸気風を吹き当てるものとなり、冷却手段を向上させ、同時に製品性能の品質的向上を達成させることができる。
【００１７】
【実施例】
（実施例１）
図１、図２は本発明の第１の実施例における電気掃除機の断面図である。１は上部に第２の掃除機本体ユニット２が着脱自在に設けられ、下方に床面の塵埃を掻き上げる回転ブラシ３と吸気口４を有する吸込部５を具備し、吸引風を発する電動送風機６が搭載された第１の掃除機本体１である。
【００１８】
前記第１の掃除機本体１に設けた電動送風機６について説明すると、吸引の気流を発生させるためのファン部７と、電源電池８または電源より電力を供給するための電源電線９と、収集した塵埃を蓄積する第１の集塵室１０とで構成されたものである。
【００１９】
次に本発明の構成を実施する第１の掃除機本体１ならびに第２の掃除機本体ユニット２について、詳しく説明する。１３は、第１の掃除機本体１の上方に設けられた係止部１１と着脱自在に結合するための係止部１２を有した中空管であり、その内部を吸引した塵埃が通過することを可能とさせている。１４は使用者が使用時に握るための小径化させた略円筒形の握り部１５を有する第２の掃除機本体である。また前記第２の掃除機本体１４の内部には、前記第１の掃除機本体１と同様第２の掃除機本体１４単体での塵埃吸引が可能となるように、中空管１３先端および係止部１２を塵埃の第２の吸気口となるように開口し、それに連通する順に第２の集塵室１６と第１の電動送風機７と前記第１の電動送風機７の運転制御を行うスイッチ１８と電源となる電池１９を配設させている。
【００２０】
また次に第１の掃除機本体において、前記第２の掃除機本体１４を着脱自在に取り付けるため上方に係止部１１を設け、この係止部１１は前記第２の掃除機本体１４の塵埃通過可能とさせた中空管１３と同様に内部を中空に形成し、且つ前記第２の掃除機本体１４取り付け時に連通するように構成させた。また前記係止部１１は第１の掃除機本体に設けた第１の集塵室１０とも吸気通路６９により連結され塵埃の通過を可能とさせた構成としたものである。
【００２１】
以上のように構成された電気掃除機において、第２の掃除機本体１４を第１の掃除機本体１より取り外してセカンド掃除機として使用した際、塵埃を第２の集塵室１６内部に一時的に収納させても、前記掃除終了後、第２の掃除機本体１４を第１の掃除機本体１に取りつけ戻すことにより、前記第１の掃除機本体１の第１の集塵室１０と連通させている結果、第１の掃除機本体１の運転動作により第２の集塵室１６の塵埃は第１の集塵室１０より吸引移送され、塵埃が移送されて集約されるものとなり、その結果、許容量の少ない第２の掃除機本体１４での塵埃の蓄積と処理工程を廃止させることが達成でき、使用者への手間と負担を低減することができる。
【００２２】
（実施例２）
図３は本発明の第２の実施例における電気掃除機の断面図である。第１の掃除機本体１の第２の掃除機本体１４の係止部１１および第２の集塵室（図示せず）と連通する吸気通路６９内一端に、第２の掃除機本体１４の装着により開閉し、バネ２１に附勢させ回転軸２２により設けた開閉弁２３を構成することにより、着脱自在に具備した第２の掃除機本体１４を取り外した状態での第１の掃除機本体１単独使用状態において、前記吸気通路２４の開口が開閉弁２３により閉鎖され、第１の掃除機本体１の第１の集塵室１０の真空度が保たれるものとなり、第２の掃除機本体１４を取り外した状態でも第１の掃除機本体の単独使用も可能となることから、使用条件の拡大より使用性を向上させることができる。
【００２３】
（実施例３）
図４は本発明の第３の実施例における電気掃除機の構成を示す断面図である。第２の掃除機本体１４の着脱時に、前記第２の掃除機本体１４の先端部２５が吸気通路内２４をバネ２１に附勢させ、回転軸２２により設けられた開閉弁２３の後方一端部２６に連動し、前記開閉弁２３の開閉動作により第１の掃除機本体１の吸気装置６の運転制御を行なう導通切替え手段もしくは検知手段となる部品２７を設け、第２の掃除機本体１４の取付け時において、任意に設定した時間のみ第１の掃除機本体１の吸引運転を行なうものである。
【００２４】
これにより、第１の掃除機本体１の運転動作を適宜に行なわなくても、第１の掃除機本体１への第２の掃除機本体ユニット２の取付きを自動認識し、セカンド掃除機として使用し、第２の集塵室１６に一時的に収納させていた塵埃を、前記第１の掃除機本体１の第１の集塵室１０に移送し集約されるものとなる。
【００２５】
その結果、随時使用者がセカンド掃除で捕獲した塵埃量を確認し、また第１の掃除機本体１の第１の集塵室１０への塵埃移送を目的とした運転操作することなく、排除するものとなり、操作性を改善向上させることができる。
【００２６】
（実施例４）
図５は本発明の第４の実施例における第２の掃除機本体ユニットの構成を示す断面図である。第２の掃除機本体１４の他端先端に傾斜部３１を設けたものとすることにより、第１の掃除機本体１より第２の掃除機本体１４を取り外しセカンド掃除機として使用する際、掃除面３２へ直立させた状態で吸気口３３を向けなくとも、第２の掃除機本体１４を持って操作を行なう際、自然に生ずる傾斜において吸気口３３を掃除面３２に対し平行に近い状態にすることが容易にでき、また単一径における中空管１３で形成した吸気口３３においては、容易に開口面積の拡大がはかれるものとなり、使用者にとっては楽な姿勢での掃除が提供でき、操作性を改善し向上させることができる。
【００２７】
（実施例５）
図６は本発明の第５の実施例における中空管構成を示す断面図である。大小径の中空パイプ１３で第２の掃除機本体１４を構成し、且つその中継には、中空管１３外周に具備され回動する保持部品４５が設けられている。この保持部品４５は締まり部４６と回転部４７とネジ部４８とで構成され、一方向に回すと内部のテーパーが圧接し、中空管１３に密着して保持固定が確立されるものとなり、大小径の関係で摺動する中空管１３を、任意の長さで調整させられ、最適長さに設定することができ、操作性を向上させることができる。
【００２８】
（実施例６）
図７は本発明の第６の実施例における第２の掃除機本体の構成を示す断面図である。中空管１３で形成した第２の掃除機本体１４内部の吸気通路４１において、片持ちの回動支持体４２を有した逆止弁４３を設けることにより、前記吸気通路４１内の変化する気流方向に追従して開閉動作し、気流の流れが逆転する一般吸気通路に構成可能となり、このような作用を有した一般吸気通路においてもゴミもれ対策が実現でき商品性を向上させることができる。
【００２９】
（実施例７）
図８、図９は本発明の第７の実施例における第２の掃除機本体の構成及びモーメント変化を示す断面図である。第２の掃除機本体１４に形成した操作用握り部１５において、前記握り部１５の長手方向長さと厚み方向長さの寸法の１／２寸法より算出した中心５１（容積中心）を設定し、前記中心５１より半径１０ｃｍ以内の範囲に吸気装置５２等の重量部品（電動送風機や二次電池）を配設させたことにより、その重量重心を前記第２の掃除機本体１４の握り部１５に近づくものとなり、使用者の握りに対し、握り位置と重量重心で生ずる曲げモーメントを低減するものとなり使用者の手首等にかかる負担を軽減することができる。
【００３０】
（実施例８）
図１０は本発明の第８の実施例における電気掃除機の構成を示す断面図である。吸込部５を結合させ第１の電動送風機６及び第１の集塵室１０以外に二次電池８と充電用端子６１を持たせた第１の掃除機本体１と、前記充電用端子６１に接続される端子部６２を有した充電器６３と、第２の吸気口及び第２の電動送風機１７を配設した第２の掃除機本体１４を有した第２の掃除機本体１４を着脱自在に具備させた充電式掃除機において、前記充電器６３に第１の掃除機本体１及び第２の掃除機本体１４に設けた２つの集塵室並びに２つの電動送風機以外に、第３の電動送風機６４となるものと第３の集塵室６５となるものを形成させる。
【００３１】
また、第１の掃除機本体１より取り外された第２の掃除機本体１４が充電器６３に収納固定できるとともに、第２の掃除機本体１４に設けた第２の集塵室１６と充電器６３に設けた第３の集塵室６５とが連通する構成とすることにより、第２の掃除機本体１４を第１の掃除機本体１より取り外してセカンド掃除機として使用した際、塵埃を第２の集塵室１６内部に一時的に収納させても、前記掃除終了後、第２の掃除機本体１４を充電器６３に取りつけ戻すことにより、前記第２の集塵室１６と充電器６３に設けられた第３の集塵室６５とを連通させることで、前記第２の集塵室１６内の塵埃が前記第３の集塵室６５より吸引され、塵埃が移送されて集約されるものとなり、その結果、許容量の少ない第２の掃除機本体１４での塵埃の蓄積と処理工程を廃止させることが達成でき、使用者への手間と負担を低減することができる。
【００３２】
（実施例９）
図１０は本発明の第９の実施例における電気掃除機の構成を示す断面図である。充電台６３に形成した第３の集塵室６５に設けた第３の電動送風機の排気通路６６を、同じく充電器６３に具備した電源トランス６７収納部６８に連通させたことにより、発熱作用をもたらす電源トランス６７に、排気風を吹き当てるものとなり、冷却作用を向上させ、同時に製品性能の品質的向上を達成させることができる。
【００３３】
（実施例１０）
図１１は本発明の第１０の実施例における電気掃除機の構成を示す断面図である。充電器６３に形成した第３の集塵室６５に設けた第３の電動送風機の吸気通路６９を、同じく充電器６３に具備した電源トランス６７収納部６８に連通する構成とすることにより、発熱作用をもたらす電源トランス６７に、吸気風を吹き当てるものとなり、冷却手段を向上させ、同時に製品性能の品質的向上を達成させることができる。
【００３４】
【発明の効果】
本発明によれば、２個の吸引機能を備えた掃除機本体を有する電気掃除機において、使用性を向上できる。
【図面の簡単な説明】
【図１】本発明の第１の実施例を示す電気掃除機の側断面図
【図２】同第２の掃除機本体ユニットの側断面図
【図３】本発明の第２の実施例を示す第１の掃除機本体の側断面図
【図４】本発明の第３の実施例を示す第１の掃除機本体の側断面図
【図５】本発明の第４の実施例を示す第２の掃除機本体ユニットの側断面図
【図６】本発明の第５の実施例を示す第２の掃除機本体ユニットの側断面図
【図７】本発明の第６の実施例を示す第２の掃除機本体の側断面図
【図８】本発明の第７の実施例を示す第２の掃除機本体の握り部近傍の側断面図
【図９】（ａ）同第２の掃除機本体の握り部を握ったときの説明図
（ｂ）同第２の掃除機本体の握り部を握ったときの他の説明図
【図１０】本発明の第９の実施例を示す電気掃除機の側断面図
【図１１】本発明の第１０の実施例を示す電気掃除機の側断面図
【図１２】従来の電気掃除機の側断面図
【符号の説明】
１　第１の掃除機本体
５　吸込部
７　第１の電動送風機
１０　第１の集塵室
１３　中空管
１４　第２の掃除機本体
１５　握り部
１６　第２の集塵室
１７　第２の電動送風機
【図１】
2004089241.tif 000003
【図２】
2004089241.tif 000004
【図３】
2004089241.tif 000005
【図４】
2004089241.tif 000006
【図５】
2004089241.tif 000007
【図６】
2004089241.tif 000008
【図７】
2004089241.tif 000009
【図８】
2004089241.tif 000010
【図９】
2004089241.tif 000011
【図１０】
2004089241.tif 000012
【図１１】
2004089241.tif 000013
【図１２】
2004089241.tif 000014